(57)【特許請求の範囲】
【請求項１】
ハウジングと、ハウジング外部の少なくとも一部を覆うハウジングカバーと、ハウジングに配列される端子を備え、
前記ハウジングは、該ハウジングの最後部に、相手コネクタとの挿抜方向において後方に延びる棒状の突出部を有し、
前記ハウジングカバーは、前記ハウジングカバーの後端部に設けられ且つ前記挿抜方向に直交する方向に延びる板状の舌片を有しており、
前記舌片は、前記挿抜方向において幅部分を有し、前記挿抜方向に直交する方向において前記突出部の外側を包み込むように折り曲げられることによって前記ハウジングの突出部に密着させられるとともに、前記舌片の側面がハウジングに密着させられることを特徴とするコネクタ。
【請求項２】
前記舌片を前記ハウジングに密着させる際、前記舌片によって前記ハウジングの一部を押し潰すようにした請求項１記載のコネクタ。
【請求項３】
前記突出部は前記挿抜方向に延びる中心線を挟んで前記ハウジングの左右両側に設けられており、これに対応して、前記舌片は前記挿抜方向に延びる中心線を挟んで前記ハウジングカバーの左右両側に設けられており、これら左右各側に設けた前記舌片を前記左右各側の突出部においてそれぞれかしめる請求項１又は２記載のコネクタ。
【請求項４】
前記舌片が埋め込まれる前記ハウジングの一部にテーパーが設けてある請求項１乃至３のいずれかに記載のコネクタ。
【請求項５】
前記舌片のエッジ部付近によって前記ハウジングの一部を押し潰す請求項１乃至４のいずれかに記載のコネクタ。
【請求項６】
前記舌片を前記ハウジングにかしめる位置は、前記相手コネクタと前記コネクタがロックされる位置の近傍である請求項１乃至５のいずれかに記載のコネクタ。
【請求項７】
前記ハウジングカバーは、前記挿抜方向に延びる前記コネクタの中心線を挟んで前記ハウジングカバーの左右各側に設けた２つの舌片の間に、前記ハウジング最後部を覆うように前記ハウジングカバーの一部を折り曲げることによって形成された後壁を有する請求項３記載のコネクタ。
【発明の詳細な説明】
【技術分野】
【０００１】
本発明は、ハウジングカバーを備えたコネクタ、更に言えば、ハウジングカバーの一部をハウジングに埋め込むことができるコネクタに関する。
【背景技術】
【０００２】
図７、図８に、特開平７−２２０８１４号に開示された、ハウジングカバーを備えたコネクタ１００の従来例を示す。図７は、この公報に示されたコネクタの上面図、図８は、その背面図である。
【０００３】
コネクタ１００は、ハウジング１２１と、ハウジング１２１の一部を覆う金属カバー１１０と、ハウジング１２１に固定して設けるコンタクト１３０から成る。図８によく示されているように、ここでは、金属カバー１１０の細条体１１５をハウジング１２１の凹部１２４に折りこんで、下向きに圧設させることによって、金属カバー１１０をハウジング１２１に対して固定することとしている。
【０００４】
しかしながら、この従来構成では、相手コネクタの挿抜方向「Ｅ」における細条体１１５の幅「Ｋ」が、同方向における凹部１２４の幅「Ｌ」より小さく設定されているため、細条体１１５を凹部１２４に折りこんだ後も、細条体１１５と凹部１２４の間に隙間「Ｍ」が生じ、この隙間によってハウジング１２１と金属カバー１１０の間にがたが生じたり、或いは、このがたによって基板と金属カバー１１０の半田固定部に半田クラックが生じてしまう等の問題があった。また、この構成では、細条体１１５を折り曲げるために所定の高さ「Ｎ」を金属カバー１１０に設ける必要があり、この結果、コネクタが大型化してしまうといった問題もあった。
【０００５】
【特許文献１】特開平７−２２０８１４号公報
【発明の開示】
【発明が解決しようとする課題】
【０００６】
本願発明はこのような従来技術における問題点を解決するためになされたものであり、ハウジングに、例えば金属カバーのようなハウジングカバーをより強固にかしめて、それらの間の固定力を増加させることができるコネクタを提供することを目的とする。また、このような場合でも、大型化を防止することができるコネクタを提供することを目的とする。
【課題を解決するための手段】
【０００７】
本発明は、ハウジングと、ハウジング外部の少なくとも一部を覆うハウジングカバーと、ハウジングに配列される端子を備え、前記ハウジングは、該ハウジングの最後部に、相手コネクタとの挿抜方向において後方に延びる棒状の突出部を有し、前記ハウジングカバーは、前記ハウジングカバーの後端部に設けられ且つ前記挿抜方向に直交する方向に延びる板状の舌片を有しており、前記舌片は、前記挿抜方向において幅部分を有し、前記挿抜方向に直交する方向において前記突出部の外側を包み込むように折り曲げられることによって前記ハウジングの突出部に密着させられるとともに、前記舌片の側面がハウジングに密着させられることを特徴としている。
【０００８】
上記コネクタにおいて、前記舌片を前記ハウジングに密着させる際、前記舌片によって前記ハウジングの一部を押し潰すようにしてもよい。
【００１１】
上記コネクタにおいて、前記突出部は前記挿抜方向に延びる中心線を挟んで前記ハウジングの左右両側に設けられており、これに対応して、前記舌片は前記挿抜方向に延びる中心線を挟んで前記ハウジングカバーの左右両側に設けられており、これら左右各側に設けた前記舌片を前記左右各側の突出部においてそれぞれかしめるものであってもよい。
【００１２】
上記コネクタにおいて、前記舌片が埋め込まれる前記ハウジングの一部にテーパーを設けてもよい。
【００１３】
上記コネクタにおいて、前記舌片のエッジ部付近によって前記ハウジングの一部を押し潰すものであってもよい。
【００１４】
上記コネクタにおいて、前記舌片を前記ハウジングにかしめる位置は、前記相手コネクタと前記コネクタがロックされる位置の近傍であってもよい。
上記コネクタにおいて、前記ハウジングカバーは、前記挿抜方向に延びる前記コネクタの中心線を挟んで前記ハウジングカバーの左右各側に設けた２つの舌片の間に、前記ハウジング最後部を覆うように前記ハウジングカバーの一部を折り曲げることによって形成された後壁を有していてもよい。
【発明の効果】
【００１５】
本発明によれば、ハウジングカバーをハウジングに対してより強固にかしめたコネクタが提供される。
【発明を実施するための最良の形態】
【００１６】
以下、添付図面を参照しつつ、本発明による電気コネクタの好適な一実施形態を説明する。
【００１７】
図１に、本発明による電気コネクタ１の後方斜視図を、図２に、その後面図、図３に、その上面図、図４に、その底面図、図５に、図３のＡ−Ａ線断面図、更に、図６に、相手コネクタとの嵌合時における中心線断面図を、それぞれ示す。電気コネクタ１はいわゆるレセプタクル側コネクタ１として使用され、図６に示すように、実際の使用時には、例えば基板７０に固定された状態とされて、プラグ側コネクタ（相手コネクタ）８０がそこに着脱自在に挿抜される。
【００１８】
電気コネクタ１は、樹脂等によって成形されたハウジング４０と、ハウジング４０の外部を覆う金属製のハウジングカバーであるシェル２０と、ハウジング４０の内部に狭ピッチで並列配置される端子５０を有する。電気コネクタ１は、相手コネクタ８０の挿抜方向（図１の図示矢印「Ｆ」方向）に延びる中心線（Ｂ−Ｂ線）を挟んで左右対称形状である。
【００１９】
ハウジング４０は、その最後部に挿抜方向「Ｆ」において後方に延びる突出部４６を有する。突出部４６は、後方（水平）にのみ突出し、ハウジング４０の高さ方向には突出しない。突出部４６は、ハウジング４０の左右両側に１つずつ設けられており、各突出部４６は、ハウジング４０の中心線（図１のＢ−Ｂ線）側に向かって底辺５１を多少傾けた状態の略五角形の断面形状を有する。これら略五角形断面の下部辺４８、４９のうち、特に下部辺４８から延びる平坦面４３とハウジング４０の本体部を結ぶ連続領域に、平坦面４３が本体部と連続状態となるように本体部側の一部を下方に傾斜させることによって形成した平坦なテーパー４２が設けられている。
【００２０】
シェル２０は、一枚の薄い金属板を打抜き、折曲げることによって形成できる。例えば、一枚の薄い金属板を帯状に、且つ、それらの端部に相補形状の凸部２１と凹部２３（図４参照）を設けるように切断し、シェル２０の底面においてそれら凸部２１と凹部２３とを互いに噛み合わせて固定し筒状とする。その後、この筒状のシェル２０に対し、後方、即ち、後壁３７側の開口からハウジング４０を挿入し、挿入後にシェル２０の後壁３７を折り曲げる等してハウジング４０にシェル２０を組み付け、また、その他の部分を折り曲げる等することにより形成できる。尚、基板（図６の７０）への固定のため、シェル２０の左右各側に半田部３１が設けられていてもよい。
【００２１】
ハウジング４０をシェル２０に組み付けた後、挿抜方向「Ｆ」におけるシェル２０の後端部に該挿抜方向に直交する方向に延びる、シェル２０の一部として設けた各舌片２５、２６を、ハウジング４０の突出部４６のそれぞれに対してかしめる。これにより、シェル２０は、ハウジング４０に固定される。舌片２５、２６は、ハウジング４０の突出部４６に対応して、シェル２０の左右両側の対称位置に１つずつ設けられている。舌片２５、２６はそれぞれ、各突出部４６の下部辺４８から前方側に延びる平坦面４３と下部辺４９から前方側に延びる平坦面４５（図２参照）を覆うものであって、突出部４６の頂点４７を利用することにより、突出部４６に向けて、且つ、シェル２０の上部折り曲げ部２９に沿って、挿抜方向「Ｆ」に直交する方向（図示矢印「Ｇ」方向）において折り曲げてかしめられる。舌片２５、２６それぞれにおいて突出部４６の上部辺５８、５９から前方側に延びる平面と下部辺４８、４９から前方側に延びる平面とを外部から包み込むような力を加えることにより、各舌片２５、２６の基端側３２、３３の内壁が突出部４６の上部辺５８、５９から前方側に延びる平面にそれぞれ完全に密着した状態となる。このように、突出部４６の略五角形断面の底辺５１側をハウジング４０の中心線（図１のＢ−Ｂ線）側に傾け、これに対応して、舌片２５、２６を同様にハウジング４０の中心線（図１のＢ−Ｂ線）側に傾けた状態でかしめることにより、シェル２０をハウジング４０に対してより強い力で固定することができる。
【００２２】
また、突出部４６に舌片２５、２６をかしめる際、これら舌片２５、２６は、それらの側面エッジ部３５（図１、図３参照）、３６（図４参照）付近によって、ハウジング４０の一部を押し潰す（もしくは削る）ようにかしめられる。これにより、舌片２５、２６はその側面がハウジング４０に密着させられるとともに、それらの一部をハウジング４０に埋め込ませるような形でそこに固定され、この結果、シェル２０をハウジング４０により強固に固定することができる。特に、舌片２５については、舌片２５の埋め込み方向に応答して設けたテーパー４２を利用することによって、より確実に、且つ、より深くに、それをハウジング４０の内部に埋め込むことができる。舌片２６については、図４に示すように、舌片２６のエッジ部３６によって、下部辺４９から延びる平坦面６０と本体部との境界６３付近において本体部の一部を押し潰すように固定しているが、勿論、舌片２５と同様にテーパーを設けてもよい。
【００２３】
電気コネクタ１に相手コネクタ８０（図６参照）を挿抜する際、舌片２５、２６には、挿抜方向において大きな力が加わる。舌片２５、２６は、この力に十分耐え得るものでなければならない。この点、舌片２５、２６は、挿抜方向における力を、舌片２５、２６の幅部分、換言すれば、図１の矢印「Ｈ」方向において受けることになるため、そのような力に対して大きな力を発揮させることができる。したがって、挿抜時に発生し易い半田部３１と基板との間の半田クラックなどを効果的に防止することができる。
【００２４】
図５、図６を参照する。端子５０は一体成形によってハウジング４０に固定されており、特に、先端固定部５２と後方固定部５４においてハウジング４０に固定され、中間の接触片５３の特に下側は、ハウジング４０の前方から後方にかけて設けた相手コネクタを挿抜させるための空間４１において露出状態とされる。端子５０の後端部に設けた半田部５６は、基板７０への接続や固定に使用できる。
【００２５】
図６によく示されているように、電気コネクタ１にプラグ側コネクタ８０を嵌合させたとき、相手コネクタ８０の端子支持部８８は空間４１に挿入される。端子支持部８８は、電気コネクタ１の誘込部２８を利用して空間４１に誘い込まれる。嵌合時には、プラグ側コネクタ８０のプラグ側端子８２の先端に設けた接触部８４が電気コネクタ１の接触片５３と接触し、また、電気コネクタ１の嵌合穴２２にプラグ側コネクタ８０のロック片８１が嵌合して電気コネクタ１はレセ側コネクタ２にロックされる。このロック位置は、シェル２０によってハウジング４０をかしめる位置の近傍となるため、相手コネクタの挿抜時における抗力をより強くすることができる。
【００２６】
上の実施形態では、電気コネクタを一例に挙げて本発明を説明したが、明らかなように、本発明は電気コネクタに限らず、様々なコネクタに応用できる。また、上の実施形態では、ハウジングカバーをハウジングにかしめる位置を相手コネクタの挿抜方向におけるハウジングの最後部としたが、勿論これに限らず、図７や図８に示した従来例のように、挿抜方向におけるハウジングの中間位置とすることもできる。この場合、舌片は、挿抜方向におけるハウジングカバーの中間位置に設けられ、これに対応して、ハウジングには、そのような舌片を挿入するために、例えば図８に示すような凹部が設けられることになろう。
【産業上の利用可能性】
【００２７】
本発明は、ハウジングにシェルを固定させるタイプの様々なコネクタに利用することができる。
【図面の簡単な説明】
【００２８】
【図１】本発明による電気コネクタの後方斜視図である。
【図２】図１の後面図である。
【図３】図１の上面図である。
【図４】図１の底面図である。
【図５】図３のＡ−Ａ線断面図である。
【図６】本発明の電気コネクタと相手コネクタとの嵌合時における中心線断面図である。
【図７】従来コネクタの上面図である。
【図８】図７の従来コネクタの背面図である。
【符号の説明】
【００２９】
１  電気コネクタ
２０  シェル
２１  凸部
２２  嵌合穴
２３  凹部
２５  舌片
２６  舌片
２８  誘込部
２９  折り曲げ部
３１  半田部
３５  側面エッジ部
３６  側面エッジ部
３７  後壁
４０  ハウジング
４１  空間
４２  テーパー
４３  平坦面
４５  平坦面
４６  突出部
４７  頂点
４８  下部辺
４９  下部辺
５０  端子
５２  先端固定部
５３  接触片
５４  後方固定部
５６  半田部
５８  上部片
５９  上部片
７０  基板
８０  プラグ側コネクタ
８１  ロック片
８２  プラグ側端子
８４  接触部
８８  端子支持部
【図１】
0004493590.tif 000002
【図２】
0004493590.tif 000003
【図３】
0004493590.tif 000004
【図４】
0004493590.tif 000005
【図５】
0004493590.tif 000006
【図６】
0004493590.tif 000007
【図７】
0004493590.tif 000008
【図８】
0004493590.tif 000009